(57)【要約】【課題】キッチンで行う調理、洗浄等の作業に使用する各種物品をより簡便に収納することができ、加熱調理機器の後方から上の壁面には物品の収納を行うことができないように安全性を配慮したキッチン壁掛け収納装置を提供すること。【解決手段】厨房装置５の後方の壁面８に厨房装置の横方向の略全長にわたって延びる係合部９が設けられ、厨房装置に備えた加熱調理機器３の後方から上に位置する係合部が係合禁止部１９とされている。【選択図】図１
2008043483.tif 000002
【特許請求の範囲】
【請求項１】
厨房装置後方の壁面に厨房装置の横方向の略全長にわたって延びる係合部が設けられ、厨房装置に備えた加熱調理機器の後方から上に位置する係合部が係合禁止部とされていることを特徴とするキッチン壁掛け収納装置。
【請求項２】
係合部は前面に開放する係合溝を有するレールであり、係合禁止部は中実なレールであることを特徴とする請求項１に記載のキッチン壁掛け収納装置。
【請求項３】
係合部は前面に開放する係合溝を有するレールであり、係合禁止部において係合溝内に係合禁止部材が充填されていることを特徴とする請求項１に記載のキッチン壁掛け収納装置。
【請求項４】
係合部は前方に突出する係合突起を有するレールであり、係合禁止部において係合突起に係合する係合禁止部材が装着されていることを特徴とする請求項１に記載のキッチン壁掛け収納装置。
【請求項５】
係合部は前方に突出する係合突起を有するレールであり、係合禁止部において係合突起に係合不能とする係合禁止部材が配設されていることを特徴とする請求項１に記載のキッチン壁掛け収納装置。
【発明の詳細な説明】
【技術分野】
【０００１】
本発明は、厨房装置後方の壁面にラック等の壁掛け部材を掛け、調理、洗浄等の作業に使用する各種物品を収納するキッチン壁掛け収納装置に関する。
【背景技術】
【０００２】
キッチンで行う調理、洗浄等の作業に使用する各種物品は、一般に、厨房装置下部の収納部や吊戸棚等に収納されているが、作業を行うたびに出し入れしなければならないという煩わしさがあった。
【０００３】
そこで、本出願人は、台所のハンギング装置を提案している（特許文献１）。
【０００４】
上記台所のハンギング装置では、厨房装置の上に沿って壁面にハンギングバーが取り付けられ、ハンギングバーの下端部にその長手方向に沿って係止レール片が設けられ、バスケットの上端に設けた係止フック片を係止レール片にスライド自在に係止してバスケットをハンギングバーに吊下げて取り付けるようにしている。
【特許文献１】特開平４−３６７６２１号公報
【発明の開示】
【発明が解決しようとする課題】
【０００５】
上記台所のハンギング装置は、バスケットをハンギングバーの任意の位置に配置させることができるものであり、シンクの近くに配置したバスケットには洗剤やブラシ等を、調理台の近くに配置したバスケットには包丁等を、加熱調理機器の近くに配置したバスケットにはへらや杓子等を収納することができ、厨房装置で行う作業に応じて必要な物品を手を伸ばすだけで出し入れすることができ、利便性に優れている。
【０００６】
その一方で、ハンギングバーの壁面への取付けには取付アームが用いられており、より簡便に各種物品の収納を可能にする工夫が必要とされる。また、消防法上の制約から加熱調理機器の後方から上の壁面には物品の収納を行うことができないようにするという安全性の配慮が必要とされる。
【０００７】
本発明は、以上の通りの事情に鑑みてなされたものであり、キッチンで行う調理、洗浄等の作業に使用する各種物品をより簡便に収納することができ、加熱調理機器の後方から上の壁面には物品の収納を行うことができないように安全性を配慮したキッチン壁掛け収納装置を提供することを課題としている。
【課題を解決するための手段】
【０００８】
本発明のキッチン壁掛け収納装置は、上記の課題を解決するために、以下のことを特徴としている。
【０００９】
第１に、厨房装置後方の壁面に厨房装置の横方向の略全長にわたって延びる係合部が設けられ、厨房装置に備えた加熱調理機器の後方から上に位置する係合部が係合禁止部とされている。
【００１０】
第２に、上記１の特徴において、係合部は前面に開放する係合溝を有するレールであり、係合禁止部は中実なレールである。
【００１１】
第３に、上記１の特徴において、係合部は前面に開放する係合溝を有するレールであり、係合禁止部において係合溝内に係合禁止部材が充填されている。
【００１２】
第４に、上記１の特徴において、係合部は前方に突出する係合突起を有するレールであり、係合禁止部において係合突起に係合する係合禁止部材が装着されている。
【００１３】
第５に、上記１の特徴において、係合部は前方に突出する係合突起を有するレールであり、係合禁止部において係合突起に係合不能とする係合禁止部材が配設されている。
【発明の効果】
【００１４】
上記第１の発明によれば、厨房装置後方の壁面に厨房装置の横方向の略全長にわたって係合部が設けられているため、係合部に係合する被係合部を備えた各種の壁掛け部材を被係合部を係合部に係合させて壁面に取り付けることができ、キッチンでの調理、洗浄等の作業に使用する物品をより簡便に収納することができる。また、加熱調理機器の後方から上に位置する係合部は係合禁止部とされているので、壁掛け部材を誤って取り付けてしまうことがなく、安全である。
【００１５】
上記第２〜５の発明によれば、上記第１の発明の効果に加え、係合部および係合禁止部の形成が容易であり、また、係合部および係合禁止部が横一直線上に並ぶので見栄えが良好であり、シンプルなデザインとなる。
【発明を実施するための最良の形態】
【００１６】
図１は、本発明のキッチン壁掛け収納装置の一実施形態を厨房装置および吊戸棚とともに示した正面図である。
【００１７】
シンク１、調理台２および加熱調理機器３が上部に並設され、下部に引出し式の収納部４を備えた厨房装置５の後方から厨房装置５の上方に並設されたレンジフード６および吊戸棚７にかけて壁面８が設けられている。壁面８には、厨房装置５の横方向の略全長にわたって延びる係合部９が、上下に二段として設けられている。係合部９に係合する被係合部を備えた壁掛け部材１０が、被係合部を係合部９に係合させて壁面８の所定部位に取り付けられている。壁掛け部材１０には、図１に示したようなラック１１、ペーパーホルダー１２等が例示される。
【００１８】
シンク１の上方の壁面８に取り付けられたラック１１には、シンク１で行う洗浄作業に使用する洗剤１３が収納されている。洗剤１３は取り出しやすいように、収納するラック１１は下段の係合部９に係合させて取り付けている。洗浄後の食器の水取、手拭等に使用するキッチンペーパー１４は、上段の係合部９に係合させて取り付けたペーパーホルダー１２に回転自在に保持されている。
【００１９】
調理台２の上方の壁面８に取り付けられたラック１１には、調理作業に使用する調味料１５が収納されている。このラック１１には下部にバー１６が配設されており、布巾１７を掛けることができるようにしている。布巾１７は垂れ下がるので、ラック１１は上段の係合部９に係合させて取り付けている。
【００２０】
このように、厨房装置５の後方から厨房装置５の上方に並設されたレンジフード６および吊戸棚７にかけて設けられた壁面８に係合部９が設けられ、係合部９に直接被係合部を備えた壁掛け部材１０を被係合部を係合部９に係合させて壁面８に取り付けることができるので、調理、洗浄等の作業に使用する物品の収納がより簡便となっている。しかも、作業や収納状態等に応じて壁掛け部材１０を適当な高さに取り付けることができ、利便性に優れる。図１に示したキッチン壁掛け収納装置では、係合部９は上下に二段として設けられているが、三段以上であってもよい。また、高さ方向に余裕がない場合等には係合部９は一段とすることもできる。壁掛け部材１０は、ラック１１およびペーパーホルダー１２に限られることはなく、係合部９に係合する被係合部を備えることのできる各種のものを採用することができる。包丁差し、まな板置き等も壁掛け部材１０とすることができる。
【００２１】
そして、図１に示したキッチン壁掛け収納装置では、加熱調理機器３の後方から上方のレンジフード６に至る領域１８に位置する係合部９が係合禁止部１９とされている。係合禁止部１９では、壁掛け部材１０の被係合部と係合することができず、したがって、領域１８内には壁掛け部材１０を壁面８に取り付けることができない。領域１８は、加熱調理機器３の使用にともない熱気が発生し、炎が上がることもあるので、物品の収納部位として適当でない。そこで、図１に示したキッチン壁掛け収納装置では、領域１８に位置する係合部９を係合禁止部１９として壁掛け部材１０の取付けを不能にし、安全性を確保している。
【００２２】
係合部９と係合禁止部１９は、具体的には以下のようにして形成することができる。
【００２３】
図２（ａ）（ｂ）（ｃ）は、それぞれ、係合部および係合禁止部の一実施形態を示した要部正面図、Ａ−Ａ断面図、Ｂ−Ｂ断面図である。
【００２４】
図２（ａ）（ｂ）（ｃ）に示した実施形態では、係合部９は、前面に開放する係合溝２０を有するレール２１である。係合溝２０は、図２（ｃ）に示したように、レール２１の前面から後上方にかけてなだらかに湾曲し、図１に示した壁掛け部材１０の被係合部との係合を可能にしている。レール２１の前面部には前上片２２および前下片２３が設けられ、後面部には後上片２４および後下片２５が設けられている。後上片２４は前上片２２より縦幅が広く、後下片２５は前下片２３より縦幅が広くなっている。前上片２２と後上片２４とにより上側のパネル２６の下端部を挟持し、前下片２３と後下片２５とにより下側のパネル２７の上端部を挟持し、パネル２６、２７をレール２１によって接合して壁面８を形成している。
【００２５】
一方、係合禁止部１９は、係合溝２０の形成されていない中実なレール２８である。レール２８にも、前面部に前上片２９および前下片３０が設けられ、後面部には後上片３１および後下片３２が設けられている。後上片３１は前上片２９より縦幅が広く、後下片３２は前下片３０より縦幅が広くなっている。前上片２９と後上片３１とにより上側のパネル２６の下端部を挟持し、前下片３０と後下片３２とにより下側のパネル２７の上端部を挟持し、パネル２６、２７をレール２１によって接合して壁面８を形成している。
【００２６】
このように、係合禁止部１９は中実なレール２８であるため、図１に示した壁掛け部材１０の被係合部と係合せず、領域１８内の壁面８に壁掛け部材１０を取り付けることができない。安全性が確保され、しかも係合部９と係合禁止部１９とが容易に形成される。また、係合部９のレール２１と係合禁止部１９のレール２８とは図２（ａ）に示したように横一直線上に配置されるため、見栄えが良好であり、シンプルなデザインとなる。レール２１とレール２８とは領域１８を境にして別体として突き合わせたり、接続したりすることができる他、一体に成形することも可能である。レール２１、２８は、硬質の樹脂や耐食性を有するアルミニウム、ステンレス等の金属等から形成することができる。
【００２７】
なお、パネル２６、２７には不燃性のものが好ましく採用される。
【００２８】
図３（ａ）（ｂ）（ｃ）は、それぞれ、係合部および係合禁止部の別の実施形態を示した要部正面図、Ａ−Ａ断面図、Ｂ−Ｂ断面図である。
【００２９】
図３（ａ）（ｂ）（ｃ）に示した実施形態では、係合部９は、図２（ａ）（ｃ）に示したレール２１と同じであり、前面に開放する係合溝２０を有するレール２１である。共通する部分には同一の符号を付し、その説明を省略する。
【００３０】
一方、図３（ａ）（ｂ）（ｃ）に示した実施形態では、図３（ａ）（ｂ）に示したように、係合禁止部１９では、レール２１の係合溝２０内に係合禁止部材３３が充填されている。係合禁止部材３３は、図４に示したように、断面形状が係合溝２０と略同一の、なだらかに湾曲する形状とされている。したがって、図３（ａ）に示した領域１８内において、レール２１の係合溝２０に前方から係合禁止部材３３を差し込み、上に回動させることによって係合溝２０に係合禁止部材３３を充填し、塞ぐことができる。係合禁止部材３３が充填されたレール２１には、図１に示した壁掛け部材１０の被係合部は係合せず、領域１８内の壁面８に壁掛け部材１０を取り付けることができない。安全性が確保され、しかも係合部９と係合禁止部１９とが容易に形成される。
【００３１】
また、図３（ａ）（ｂ）（ｃ）に示した実施形態では、係合部９および係合禁止部１９はともに１本のレール２１から形成されており、横一直線に延びるため、見栄えが良好であり、シンプルなデザインとなる。係合禁止部材３３は、樹脂や耐食性を有するアルミニウム、ステンレス等の金属等から形成することができる。
【００３２】
図５（ａ）（ｂ）（ｃ）は、それぞれ、係合部および係合禁止部の別の実施形態を示した要部正面図、Ａ−Ａ断面図、Ｂ−Ｂ断面図である。
【００３３】
図５（ａ）（ｂ）（ｃ）に示した実施形態では、係合部９は、前方に突出する係合突起３４を有するレール３５である。係合突起３４は、図５（ｃ）に示したように、レール３５の前面から前上方にかけてなだらかに湾曲し、図１に示した壁掛け部材１０の被係合部との係合を可能にしている。レール３５の前面部には前上片３６および前下片３７が設けられ、後面部には後上片３８および後下片３９が設けられている。後上片３８は前上片３６より縦幅が広く、後下片３９は前下片３７より縦幅が広くなっている。前上片３６と後上片３８とにより上側のパネル２６の下端部を挟持し、前下片３７と後下片３９とにより下側のパネル２７の上端部を挟持し、パネル２６、２７をレール３５によって接合して壁面８を形成している。
【００３４】
一方、係合禁止部１９には、係合溝４０を有し、レール３５の縦幅に略等しい縦幅を有する係合禁止部材４１がレール３５に装着されている。図６に示したように、係合禁止部材４１は横長の部材であり、係合溝４０は、係合禁止部材４１の後面から前上方に向かってなだらかに湾曲し、レール３５の係合突起３４と略等しい断面形状を有している。係合禁止部材４１を斜め下方に傾け、係合溝４０の開放端にレール３５の係合突起３４の前端部を差し込み、下方に回動させることによって、係合禁止部材４１はレール３５に取り付けることができる。取り付けた状態では、係合禁止部材４１は、レール３５に対して左右にスライド自在であり、図５（ａ）に示した領域１８に移動させ、レール３５に装着する。
【００３５】
このように、係合禁止部１９において係合禁止部材４１をレール３５に装着するため、図１に示した壁掛け部材１０の被係合部と係合せず、領域１８内の壁面８に壁掛け部材１０を取り付けることができない。安全性が確保され、しかも係合部９と係合禁止部１９とが容易に形成される。また、係合禁止部材４１の縦幅はレール３５の縦幅に略等しいので、係合部９と係合禁止部１９とは、図５（ａ）に示したように横一直線上に配置され、見栄えが良好であり、シンプルなデザインとなる。レール３５および係合禁止部材４１はともに硬質の樹脂や耐食性を有するアルミニウム、ステンレス等の金属等から形成することができる。
【００３６】
図７は、係合部および係合禁止部の別の実施形態を示した要部断面図である。
【００３７】
図７に示した実施形態においては、係合部９は、図５に示した前方に突出する係合突起３４を有するレール３５である。共通する部分には同一の符号を付し、その説明を省略する。
【００３８】
一方、図７に示した実施形態では、係合禁止部１９において係合突起３４の上面に係合突起３４の最高位まで係合禁止部材４２が肉盛り状に配設され、図１に示した壁掛け部材１０の被係合部の係合を不能にしている。係合禁止部材４２は、樹脂、耐食性を有するアルミニウム、ステンレス等から形成され、接着等によって係合突起３４の上面に固定されている。
【００３９】
このようにしても安全性は確保され、係合部９と係合禁止部１９とが容易に形成される。レール３５は横一直線に延びており、係合突起３４の上面に係合突起３４の最高位まで肉盛り状に係合禁止部材４２が配設されているので、見栄えが良好であり、シンプルなデザインとなる。
【００４０】
なお、本発明において、係合溝２０および係合突起３４の形状は特に制限はない。各種の壁掛け部材１０を壁面８に取り付けることができる形状であればよく、壁掛け部材１０の被係合部は、係合溝２０および係合突起３４の形状に対応したものとすることができる。
【図面の簡単な説明】
【００４１】
【図１】本発明のキッチン壁掛け収納装置の一実施形態を厨房装置および吊戸棚とともに示した正面図である。
【図２】（ａ）（ｂ）（ｃ）は、それぞれ、係合部および係合禁止部の一実施形態を示した要部正面図、Ａ−Ａ断面図、Ｂ−Ｂ断面図である。
【図３】（ａ）（ｂ）（ｃ）は、それぞれ、係合部および係合禁止部の別の実施形態を示した要部正面図、Ａ−Ａ断面図、Ｂ−Ｂ断面図である。
【図４】係合禁止部材をレールとともに示した要部斜視図である。
【図５】（ａ）（ｂ）（ｃ）は、それぞれ、係合部および係合禁止部の別の実施形態を示した要部正面図、Ａ−Ａ断面図、Ｂ−Ｂ断面図である。
【図６】係合禁止部材をレールとともに示した要部斜視図である。
【図７】係合部および係合禁止部の別の実施形態を示した要部断面図である。
【符号の説明】
【００４２】
３  加熱調理機器
５  厨房装置
８  壁面
９  係合部
１９  係合禁止部
２０  係合溝
２１  レール
２８  レール
３３  係合禁止部材
３４  係合突起
３５  レール
４１  係合禁止部材
４２  係合禁止部材
【図１】
2008043483.tif 000003
【図２】
2008043483.tif 000004
【図３】
2008043483.tif 000005
【図４】
2008043483.tif 000006
【図５】
2008043483.tif 000007
【図６】
2008043483.tif 000008
【図７】
2008043483.tif 000009